(57)【要約】【課題】撮像装置を最適な位置に設置することにより、悪戯防止や雨漏り防止などの要件を満足した上で、運転者にとって死角となる領域を的確に撮像して運転支援に役立てることができるキャブオーバー型車両を提供する。【解決手段】キャビン１のフロントパネル５と左側のドアパネル４との間にコーナーパネル１１を装着し、コーナーパネル１１の上部に前方に向けて膨出する膨出部１２を形成して、この膨出部１２と車体パネルとの間に収容空間１３を形成する。収容空間１３内に撮像装置３１を配設し、コーナーパネル１１のレンズ孔１１ｂを介して運転者の死角となる左斜め前方且つ斜め下方の領域を撮像し、その撮像画像をディスプレイ上に表示する。【選択図】図２
2014040136.tif 000002
【特許請求の範囲】
【請求項１】
フロントウィンドウの下側に位置するフロントパネルと左右のドアパネルとの間にそれぞれコーナーパネルを配設し、キャビンを構成する車体パネルの一部を上記コーナーパネルにより隠蔽したキャブオーバー型車両において、
少なくとも上記左右何れかのコーナーパネルに、上記フロントパネルの表面と上記ドアパネルの表面とを連続させる面よりも車両前方側に向けて膨出し、且つ車両最前端よりも後方に位置する膨出部を形成して、該コーナーパネルの膨出部と上記車体パネルとの間に収容空間を画成し、該収容空間内に撮像装置を配設して上記コーナーパネルに貫設した孔を介して外部を撮像可能としたことを特徴とするキャブオーバー型車両。
【請求項２】
上記撮像装置は、上記キャビン内の運転席に着座した運転者にとって死角となる左斜め前方且つ斜め下方または右斜め前方且つ斜め下方を指向するように配設されたことを特徴とする請求項１記載のキャブオーバー型車両。
【請求項３】
上記コーナーパネルにより隠蔽される上記車体パネルの箇所に、上記撮像装置とミラーの電動格納ユニットとに共通する取付部を設け、上記収容空間内に上記撮像装置と電動格納ユニットの何れかを選択的に配設して上記取付部に固定可能としたことを特徴する請求項１または２記載のキャブオーバー型車両。
【請求項４】
上記車体パネルの箇所に、上記取付部と共に上記撮像装置と上記電動格納ユニットとに共通する貫通孔を貫設し、該貫通孔を介して上記撮像装置または電動格納ユニットの信号線を車室内に引き込み可能としたことを特徴する請求項３記載のキャブオーバー型車両。
【発明の詳細な説明】
【技術分野】
【０００１】
本発明はキャブオーバー型車両に係り、詳しくは車両の外部を撮像するＣＣＤカメラなどの撮像装置を設置するための構造に関する。
【背景技術】
【０００２】
近年、この種の撮像装置は運転者の運転操作を支援するために種々の車両に搭載されている。例えばトラックやバスなどのキャブオーバー型車両では、車室内から外部への運転者の水平方向の視界は良好であるものの、車両前部の左右足下への視界、即ち左斜め前方且つ斜め下方の視界、及び右斜め前方且つ斜め下方の視界は、キャビンを構成する車体パネルによりほとんど遮られてしまう。このような運転者にとって死角となる領域を撮像装置で撮像し、撮像画像を車室内のディスプレイ上に表示することで運転者が容易に障害物を把握できるように配慮している。
【０００３】
例えば特許文献１に記載された技術は３ボックスタイプの乗用車を対象としたものであり、車両のボンネット上とルーフ上にそれぞれカメラを配設し、運転者の頭部の動きに応じてカメラ角度を変更しながら、ボンネット上のカメラで走行方向の画像を撮像すると共に、ルーフ上のカメラで運転者にとって死角となる領域を撮像し、それらの撮像画像を運転者の頭部に装着したヘッドマウントディスプレイに表示するように構成されている。
【先行技術文献】
【特許文献】
【０００４】
【特許文献１】特開平１０−２０６７８９号公報
【発明の概要】
【発明が解決しようとする課題】
【０００５】
上記のように特許文献１に記載された技術では、主にルーフ上に設けたカメラにより運転者の死角となる領域を撮像しているが、カメラからの視界はルーフにより遮られ、死角となる車両前部の左右足下の領域をほとんど撮像できない。特にキャブオーバー型車両では、左右足下に相当する領域がルーフ前部のほとんど直下に位置しているため、当該領域をルーフ上のカメラから撮像することはほぼ不可能である。
【０００６】
また、このように肝心の死角となる領域を撮像できないだけでなく、その撮像方向についても最適とは言い難い。即ち、カメラによりルーフ上から撮像された画像は、運転席に着座した運転者が実際に肉眼で視認した光景とは撮像方向が全く異なり、画像中に表示された状況を運転者が直感的に把握できない。よって、上記特許文献１の技術により撮像された画像では、運転者の死角を補って運転支援に役立てるには不十分であった。
【０００７】
しかも、車両のルーフ上にカメラを設置することにより別の問題も発生する。即ち、ルーフ上にカメラが露出することから、第三者による悪戯に対して無防備になってしまう。さらにカメラからの信号線を車室内に引き込むためにルーフに孔を貫設する必要があり、結果として防水対策を施したとしても経年変化による車室内への雨漏りの虞が生じる。
本発明はこのような問題点を解決するためになされたもので、その目的とするところは、撮像装置を最適な位置に設置することにより、悪戯防止や雨漏り防止などの要件を満足した上で、運転者にとって死角となる領域を的確に撮像して運転支援に役立てることができるキャブオーバー型車両を提供することにある。
【課題を解決するための手段】
【０００８】
上記目的を達成するため、請求項１の発明は、フロントウィンドウの下側に位置するフロントパネルと左右のドアパネルとの間にそれぞれコーナーパネルを配設し、キャビンを構成する車体パネルの一部を上記コーナーパネルにより隠蔽したキャブオーバー型車両において、少なくとも左右何れかのコーナーパネルに、フロントパネルの表面とドアパネルの表面とを連続させる面よりも車両前方側に向けて膨出し、且つ車両最前端よりも後方に位置する膨出部を形成して、コーナーパネルの膨出部と車体パネルとの間に収容空間を画成し、収容空間内に撮像装置を配設してコーナーパネルに貫設した孔を介して外部を撮像可能としたものである。
【０００９】
請求項２の発明は、請求項１において、撮像装置を、キャビン内の運転席に着座した運転者にとって死角となる左斜め前方且つ斜め下方または右斜め前方且つ斜め下方を指向するように配設したものである。
請求項３の発明は、請求項１または２において、コーナーパネルにより隠蔽される車体パネルの箇所に、撮像装置とミラーの電動格納ユニットとに共通する取付部を設け、収容空間内に撮像装置と電動格納ユニットの何れかを選択的に配設して取付部に固定可能としたものである。
請求項４の発明は、請求項３において、車体パネルの箇所に、取付部と共に撮像装置と電動格納ユニットとに共通する貫通孔を貫設し、貫通孔を介して撮像装置または電動格納ユニットの信号線を車室内に引き込み可能としたものである。
【発明の効果】
【００１０】
以上説明したように請求項１の発明のキャブオーバー型車両によれば、フロントパネルとドアパネルとの間に配設したコーナーパネルに、フロントパネルの表面とドアパネルの表面とを連続させる面よりも車両前方側に向けて膨出する膨出部を形成して、この膨出部と車体パネルとの間に画成された収容空間内に撮像装置を配設してコーナーパネルの孔を介して外部を撮像可能とした。
【００１１】
従って、コーナーパネルは運転者の死角に最も近い位置に設置されるため、車体パネルに遮られて死角となる領域を撮像装置により的確に撮像でき、撮像画像を運転支援に役立てることができる。また、撮像装置の信号線を車室内に引き込む箇所はコーナーパネルに覆われて雨滴が直接当たらないため、例えば雨滴が直接衝突するルーフに撮像装置を設置した場合に比較して雨漏りの可能性を低減することができる。さらにコーナーパネルに隠蔽された撮像装置は、ルーフに設置した場合のような第三者による悪戯の対象にならないため、悪戯による被害を未然に防止することができる。
【００１２】
請求項２の発明のキャブオーバー型車両によれば、請求項１に加えて、撮像装置を運転者にとって死角となる左斜め前方且つ斜め下方または右斜め前方且つ斜め下方を指向するように配設した。
結果として撮像装置が運転者の視線方向に指向するため、運転者が肉眼で視認した光景と同様の角度で死角となる領域を撮像でき、その撮像画像中に表示された状況、例えば障害物の有無などを直感的に把握することができる。
【００１３】
請求項３の発明のキャブオーバー型車両によれば、請求項１または２に加えて、車体パネルに設けた撮像装置とミラーの電動格納ユニットとの取付部を共通化し、撮像装置と電動格納ユニットの何れかを選択的に固定可能とした。
例えば車両の仕向地に応じて撮像装置と電動格納ユニットとを選択的に収容空間内に配設する場合であっても、それに応じて車体側に専用の取付部を設ける必要がなくなり、例えば必要に応じてコーナーパネルだけ専用品を用いて対応できる。よって、車両製造時の作業工程を簡略化でき、ひいては車両の製造コストを低減することができる。
【００１４】
請求項４の発明のキャブオーバー型車両によれば、請求項３に加えて、取付部と同様に撮像装置と電動格納ユニットの信号線を車室内に引き込むための貫通孔も共通化した。
従って、撮像装置と電動格納ユニットとに応じて、車体側に専用の貫通孔を設ける必要がなくなり、車両製造時の作業工程を一層簡略化することができる。
【図面の簡単な説明】
【００１５】
【図１】実施形態の撮像装置の設置構造が適用されるキャブオーバー型トラックのキャビンを示す斜視図である。
【図２】図１中のＡ箇所に相当する撮像装置の配設状態を示す斜視図である。
【図３】撮像装置の配設状態を示す分解斜視図である。
【図４】電動格納ユニットの配設状態を示す図２に対応する斜視図である。
【図５】車両正面より見た運転者の視界と撮像装置の撮像領域とを示す説明図である。
【図６】車両左側面より見た運転者の視界と撮像装置の撮像領域とを示す説明図である。
【発明を実施するための形態】
【００１６】
以下、本発明を具体化したキャブオーバー型トラックの一実施形態を説明する。
図１は本実施形態の撮像装置の設置構造が適用されるキャブオーバー型トラックのキャビンを示す斜視図である。
車両のキャビン１は全体としてボックス状をなすように鋼板製の車体パネルで構成され、図示しない車体フレームの前部に設置されている。キャビン１に開口形成された開口部１ａ，１ｂにはフロントウィンドウ２やサイドミラー３を備えた左右のドアパネル４などの外装部材が取り付けられ、キャビン１の車室内にはインストルメントパネルや運転席などが配設されている。
【００１７】
キャビン１前面のフロントウィンドウ２の下側において車体パネルはフロントパネル５を形成し、フロントパネル５の下側にはフロントグリル６が装着されている。フロントグリル６の左右には灯火類７が設置され、これらのフロントグリル６及び灯火類７の下側にはフロントバンパ８が取り付けられている。
図２は図１中のＡ箇所に相当する撮像装置の配設状態を示す斜視図、図３は同じく撮像装置の配設状態を示す分解斜視図である。
【００１８】
フロントパネル５と左右のドアパネル４との間には合成樹脂製のコーナーパネル１１がそれぞれ装着されている。なお、コーナーパネル１１はビスにより装着してもよいし、ラッチによる掛止を用いて装着してもよい。また、コーナーパネル１１の材料として、合成樹脂のほか、ＳＭＣ（Ｓｈｅｅｔ  Ｍｏｌｄｉｎｇ  Ｃｏｍｐｏｕｎｄ）等の繊維強化プラスチックを用いてもよい。コーナーパネル１１により隠蔽される車体パネルの箇所は、隣接するフロントパネル５やドアパネル４の表面に対してコーナーパネル１１の厚み相当分だけ凹設されており、これによりコーナーパネル１１の装着時には、フロントパネル５及びドアパネル４の表面に対してコーナーパネル１１の表面がほぼ面一となる。
【００１９】
但し、コーナーパネル１１の上部には膨出部１２が形成され、この膨出部１２の箇所では、フロントパネル５の表面とドアパネル４の表面とを連続させる面（即ち、上記面一となる面）よりもコーナーパネル１１の表面が車体前方に向けて膨出している。この膨出部１２の形成により、コーナーパネル１１の膨出部１２の箇所とその内側の車体パネルとの間には収容空間１３が画成されている。
また、このようにコーナーパネル１１の膨出部１２は前方に向けて膨出しているが、車両の最前端に相当するフロントバンパ８の前面よりは車両後方に位置している。これにより、車長を延長することなく膨出部１２を形成できるので、車両全体の設計を調整することなく膨出部１２を形成するコーナーパネル１１を容易に車両に搭載できる。
左右のコーナーパネル１１は左右対称の同一構成であり、車体パネルへの取付についても共通する。但し、右側のコーナーパネル１１が意匠的な機能を果たすだけであるのに対し、左側のコーナーパネル１１内の収容空間１３は撮像装置の設置にも利用されており、以下、その詳細を説明する。
【００２０】
左側のコーナーパネル１１の収容空間１３内において、車体パネルには撮像装置３１を取り付けるための取付部が設けられている。取付部は車体パネル上に上下及び左右に離間配置された計４つのネジ孔１５であり、図示はしないが、車体パネルに貫設した孔の裏面側にナットを溶接して各ネジ孔１５が構成されている。
撮像装置３１は収容空間１３内に配設された上で、これらのネジ孔１５に対してブラケット１６を介して取り付けられている。なお、ブラケット１６を用いることなく撮像装置３１を車体パネルに直接取り付けてもよいし、ネジ孔１５以外の取付部を設けてもよい。
【００２１】
ブラケット１６は鋼板を折曲形成して製作され、撮像装置３１が載置・固定される載置面１６ａ、その載置面１６ａの左右両端から上方に折曲された左右一対の連結面１６ｂ、両連結面１６ｂの後端から左方及び右方に折曲された左右一対の取付面１６ｃから構成されている。左右の取付面１６ｃにはそれぞれ上下一対のビス孔１６ｄが形成され、これらのビス孔１６ｄを介して車体パネルの各ネジ孔１５に前方よりビス１７を螺合させることにより、ブラケット１６が車体パネルに取り付けられている。
【００２２】
撮像装置３１はブラケット１６の載置面１６ａ上に載せられて図示しないビスで固定され、その信号線３１ａは車体パネルに貫設された貫通孔１８を介して車室内に引き込まれて図示しないディスプレイに接続されている。なお、貫通孔１８と信号線３１ａとの間はパッキン１９により防水されている。
【００２３】
図５は車両正面より見た運転者の視界と撮像装置３１の撮像領域とを示す説明図、図６は同じく車両左側面より見た運転者の視界と撮像装置３１の撮像領域とを示す説明図である。
撮像装置３１が載置・固定されるブラケット１６の載置面１６ａは、撮像装置３１を所定の撮像方向に指向させるために角度設定されている。
具体的には、図５，６に示すように運転者の左斜め前方への視界は、略水平方向には良好であるものの、図中に矢印で示す斜め下方にはキャビン１を構成する車体パネルによりほとんど遮られてしまう。この運転者にとって死角となる領域を撮像装置３１により撮像すべく、撮像装置３１を矢印で示す左斜め前方且つ斜め下方に指向させるようにブラケット１６の載置面１６ａの角度が設定されている。撮像画像は信号線３１ａを経てディスプレイに入力され、車両の走行中にディスプレイ上に撮像画像が表示される。
【００２４】
一方、本実施形態のキャブオーバー型トラックでは、左側のコーナーパネル１１内に撮像装置３１に代えてサイドミラー２１の電動格納ユニット２２を配設できるように構成されている。そのために撮像装置３１と同じく、電動格納ユニット２２も車体パネルのネジ孔１５に対して取付可能に構成されている。なお、左側のコーナーパネル１１内に電動格納ユニット２２を配設する場合には、左側のドアパネル４に設けられたサイドミラー３が廃止される。また、右側のコーナーパネル１１内にも電動格納ユニット２２を配設してもよい。
【００２５】
図４は電動格納ユニット２２の配設状態を示す図２に対応する斜視図である。電動格納ユニット２２の左右両側にはフランジ部２２ａが形成され、図示はしないが両フランジ部２２ａには上記撮像装置３１のブラケット１６と同一配置でビス孔が貫設されている。これらのビス孔を介して、ビス１７により電動格納ユニット２２が車体パネルのネジ孔１５に固定される。
電動格納ユニット２２の信号線２２ｂは車体パネルの貫通孔１８を介して車室内に引き込まれ、サイドミラー２１を格納操作するための図示しない格納スイッチ及び電源に接続されている。
【００２６】
電動格納ユニット２２の上面からはステー２３が突出し、ステー２３はコーナーパネル１１の上面に貫設されたステー孔１１ａを介して外部に延設されてクランク状に屈曲し、ステー２３の上端にサイドミラー２１が固定されている。なお、サイドミラー２１に加えて足下視認用のサイドアンダーミラーを設けてもよい。
電動格納ユニット２２にはモータ及びギヤ機構が内蔵され、モータの駆動によりギヤ機構を介してステー２３と共にサイドミラー２１が水平方向に回転駆動されるようになっている。車庫入れなどのようにサイドミラー２１が周囲の障害物に干渉する虞がある場合に格納スイッチが操作され、その操作に応じて電動格納ユニット２２によりサイドミラー２１が通常角度から図４中に矢印で示す前方に回転し、これにより障害物との干渉によるサイドミラー２１の破損が防止される。
【００２７】
左側のコーナーパネル１１内に何れの装置を配設するかは、例えば車両の仕向地に応じて決定する。日本ではサイドアンダーミラーの装備が法規で義務付けられているため、左側のコーナーパネル１１内に電動格納ユニット２２を配設し、サイドミラー２１と共にサイドアンダーミラーを備え付ければよい。これに対して、サイドアンダーミラーの装備が義務付けられていない国向けの車両では、左側のコーナーパネル１１内に撮像装置３１を配設すればよい。また、顧客の希望に応じて、撮像装置３１と電動格納ユニット２２との何れを搭載するかを選択するようにしてもよい。
【００２８】
次に、以上のように構成されたキャブオーバー型車両における撮像装置３１の設置構造による作用を説明する。
撮像装置３１は、運転者にとって死角となる領域を的確に撮像して運転支援に役立てることが要求される。コーナーパネル１１は運転者の死角に最も近い位置に設置されているため、車体パネルに遮られて死角となる領域を撮像装置３１により的確に撮像することができる。しかも、このように撮像領域が的確であるだけでなく、撮像装置３１をコーナーパネル１１内に配設することにより、撮像方向についても最適化できる。
【００２９】
即ち、運転者がディスプレイ上で撮像画像を確認する場合、たとえ死角となる領域が表示されていても、実際に着座位置から運転者が肉眼で視認した光景と異なる角度から撮像された画像の場合には、その画像中に表示された状況を運転者が直感的に把握できない。
図５，６に示すように、運転者の左斜め前方且つ斜め下方への視界は、コーナーパネル１１の位置に相当する車体パネルにより遮られて死角を形成している。このため、コーナーパネル１１内に配設された撮像装置３１は、図中に矢印で示す運転者の視線上に位置することになり、且つ上記したブラケット１６の角度設定により撮像装置３１は運転者の視線方向（左斜め前方且つ斜め下方）に指向している。このため、必然的に運転者が肉眼で視認した光景と同様の角度で死角となる領域が撮像装置３１により撮像される。
【００３０】
結果としてディスプレイ上には運転者が肉眼で視認した光景と同様の角度で撮像された画像が表示され、運転者は画像中に表示された状況、例えば障害物の有無などを直感的に把握することができる。以上のようにコーナーパネル１１内に撮像装置３１を配設することにより、その性能を最大限に発揮させることができる。
【００３１】
また、特許文献１の技術のように、雨天において雨滴が直接衝突するルーフに撮像装置３１（カメラ）を設置した場合には、その信号線の車室内への引き込みにより雨漏りの虞が生じてしまう。本実施形態ではコーナーパネル１１内に撮像装置３１が配設されるため、その信号線３１ａを車室内に引き込むための貫通孔１８の箇所に雨滴が直接当たらない。よって、撮像装置３１の設置に起因して車室内に雨漏りが生じる可能性を大幅に低減することができる。また、当然であるがコーナーパネル１１に隠蔽された撮像装置３１は、ルーフに設置した場合のように第三者による悪戯の対象にもならない。
【００３２】
一方、本実施形態では左側のコーナーパネル１１内の車体パネルに、取付部として撮像装置３１と電動格納ユニット２２とで共通するネジ孔１５を設けると共に、信号線１４ａ,２２ｂの引込みのための貫通孔１８も共通化している。
従って、車両の仕向地などに応じて撮像装置３１と電動格納ユニット２２とを選択的に搭載する場合であっても、それに応じて車両（キャビン１）側に専用のネジ孔１５及び貫通孔１８を設ける必要がなくなり、コーナーパネル１１のみ専用品（レンズ孔１１ｂの有無）を用いるだけで対応できる。よって、車両製造時の作業工程を簡略化でき、ひいては車両の製造コストを低減できるという効果も得られる。
【００３３】
以上で実施形態の説明を終えるが、本発明の態様はこの実施形態に限定されるものではない。例えば上記実施形態ではキャブオーバー型車両としてトラックに適用したが、バスに具体化してもよい。また上記実施形態では、キャビン１に設けた左側のコーナーパネル１１内に撮像装置３１を配設したが、これに代えて右側のコーナーパネル１１内に撮像装置３１を配設してもよいし、左右両側のコーナーパネル１１内にそれぞれ撮像装置３１を配設してもよい。言うまでもないが、右側のコーナーパネル１１内に撮像装置３１を配設する場合には、右斜め前方且つ斜め下方に指向した姿勢に設定すれば、運転者の死角となる領域を的確に撮像することができる。
【００３４】
また上記実施形態では、コーナーパネル１１内にサイドミラー２１の電動格納ユニット２２と撮像装置３１とを選択的に配設可能に構成したが、これに限ることはない。例えば、撮像装置３１だけをコーナーパネル１１内に配設するように構成してもよく、この場合でも、撮像装置３１を最適位置に設置することにより、運転者にとって死角となる領域を的確に撮像して運転支援に役立てることができる。
また上記実施形態では、電動格納ユニット２２や撮像装置３１との間でネジ孔１５及び貫通孔１８を共通化したが、必ずしも共通化する必要はなく、コーナーパネル内に配設する装置に応じて車体パネルにネジ孔１５及び貫通孔１８を設けるようにしてもよい。
【符号の説明】
【００３５】
１      キャビン
２      フロントウィンドウ
４      ドアパネル
５      フロントパネル
１１    コーナーパネル
１２    膨出部
１３    収容空間
１５    ネジ孔（取付部）
２１    サイドミラー
２２    電動格納ユニット
２２ｂ  信号線
３１    撮像装置
３１ａ  信号線
【図１】
2014040136.tif 000003
【図２】
2014040136.tif 000004
【図３】
2014040136.tif 000005
【図４】
2014040136.tif 000006
【図５】
2014040136.tif 000007
【図６】
2014040136.tif 000008